(57)【要約】【課題】限られた設置スペースを有効利用してコンパクト化が図れ、順次挿入される紙幣を安定した状態で処理することを可能にする紙幣処理装置を提供する。【解決手段】紙幣処理装置１は、紙幣挿入口から挿入された紙幣を、挿入方向に沿って搬送可能であると共に、挿入状態にある紙幣を、紙幣挿入口に向けて差し戻すように搬送可能な紙幣搬送機構７と、紙幣挿入口に挿入された紙幣の有効性を識別する紙幣識別センサ３１と、紙幣搬送機構７に対して並設され、紙幣挿入方向に対して直交する方向に紙幣を積層、収容する紙幣収容部と、紙幣識別部３１で有効と判断された紙幣を紙幣収容部に積層収容させ、かつ次に挿入される紙幣との間で仕分けを行なう仕分け機構５０と、紙幣が紙幣搬送機構７によって紙幣収容部の収容位置に搬入されるまでの間、紙幣収容部に収容されている紙幣を搬送ベルト２５ａ，２５ｂに対して非接触状態にする非接触機構７０とを有する。【選択図】    図２
2006227910.tif 000002
【特許請求の範囲】
【請求項１】
紙幣が挿入される紙幣挿入口と、
前記紙幣挿入口から挿入された紙幣を、挿入方向に沿って搬送可能であると共に、挿入状態にある紙幣を、紙幣挿入口に向けて差し戻すように搬送可能な紙幣搬送機構と、
前記紙幣挿入口に挿入された紙幣の有効性を識別する紙幣識別センサと、
前記紙幣搬送機構に対して並設され、紙幣挿入方向に対して直交する方向に紙幣を積層収容する紙幣収容部と、
前記紙幣識別部で有効と判断された紙幣を前記紙幣収容部に積層収容させ、かつ次に挿入される紙幣との間で仕分けを行なう仕分け機構と、
前記紙幣が前記紙幣搬送機構によって紙幣収容部の収容位置に搬入されるまでの間、前記紙幣収容部に収容されている紙幣を前記紙幣搬送機構に対して非接触状態にする非接触機構と、
を有することを特徴とする紙幣処理装置。
【請求項２】
前記非接触機構は、前記紙幣の搬送動作に連動して紙幣の搬送経路に対して出没するように駆動されると共に、突出時に前記紙幣に当接する当接部材を有していることを特徴とする請求項１に記載の紙幣処理装置。
【請求項３】
前記紙幣が挿入方向に沿って搬送状態にあり、かつ前記紙幣識別センサが紙幣の有効性を検知しているとき、搬送状態にある紙幣の先端を湾曲案内するガイド手段と、
前記挿入された紙幣が有効であった場合、当該紙幣を前記紙幣挿入口側に一定の距離搬送するように前記紙幣搬送機構をスイッチバック制御する制御手段と、
を有することを特徴とする請求項１又は２に記載の紙幣処理装置。
【請求項４】
前記ガイド手段は、前記紙幣先端を湾曲案内すると共に、積層収容されている紙幣と湾曲案内された紙幣との間を仕分けるように回転駆動されるガイド部材を有しており、
前記当接部材は、前記ガイド部材の回転駆動に伴って出没駆動されるように前記ガイド手段に連結されていることを特徴とする請求項３に記載の紙幣処理装置。
【発明の詳細な説明】
【技術分野】
【０００１】
本発明は、紙幣を識別して収納する紙幣処理装置に関し、例えば、パチンコ機やスロットマシン等（以下、「遊技機」と総称する）が設置されている遊技場に設置され、遊技機間に配設可能な紙幣処理装置に関する。
【背景技術】
【０００２】
一般に、パチンコホールのような遊技場では、遊技者の便宜を図るため、遊技機が多数設置された領域（「島」とも称する）において、隣接する遊技機間に、パチンコ球やコイン（遊技媒体）を貸し出すための縦長状の遊技媒体貸出装置（サンド装置とも称する）が設置されている。この遊技媒体貸出装置は、各遊技機間に固定設置されるフレームに装着されており、対応する挿入口を通じて紙幣、硬貨、プリペイドカード等が挿入されることにより、実際に遊技媒体を貸し出したり、遊技媒体の貸し出しを促す信号を遊技機に送信するようになっている。
【０００３】
例えば、紙幣、硬貨、プリペイドカードが処理できるように構成された遊技媒体貸出装置であれば、紙幣処理装置と、硬貨処理装置と、プリペイドカードやＩＣカードなどの記録媒体を取り込んで記録情報を読み取ったり情報を書き込んだりするための記録媒体処理装置と、前記各装置を制御するとともに、遊技媒体の貸し出しを促す信号を遊技機に送信する制御部と、電源部とを有している。
【０００４】
上記した紙幣処理装置は、例えば、特許文献１に開示されているように、挿入された紙幣の有効性を識別する紙幣識別部と、紙幣識別部で有効と判断した紙幣を収容する紙幣収容部（スタッカ）とを備えている。この公知の紙幣処理装置は、紙幣挿入口に挿入された紙幣を搬送機構で奥側に搬送しつつ有効性をセンサで読み取り、有効と判断された紙幣については、そのまま紙幣搬送機構により更に奥側に搬送して、上記した紙幣収容部に積層して収容するよう構成されている。すなわち、上記した紙幣処理装置は、紙幣挿入口に対して紙幣を水平状に挿入し、紙幣識別部で有効と判断された紙幣を、更に奥側に向けて搬送し、その搬送経路上に設置されている紙幣収容部に、順次、紙幣を送り込んで積層収容するように構成されている。
【０００５】
このため、装置全体の奥側のスペースが必要とされ、装置全体が大型化してしまうという問題がある。また、紙幣を水平状にして挿入し、そのままの水平状態で積層収容することから、縦方向に対しても装置全体が大型化してしまう。
【０００６】
そこで、例えば、特許文献２に開示されているように、紙幣を縦状態に挿入し、紙幣識別部で有効と判断された紙幣については、そのまま横方向に積層収容することで、装置全体のコンパクト化が図れる紙幣処理装置が知られている。
【特許文献１】特開平８−１２３９９１号
【特許文献２】実開平７−２３７５７号
【発明の開示】
【発明が解決しようとする課題】
【０００７】
ところで、一般的に、紙幣処理装置に配設されている紙幣識別部は、挿入状態にある紙幣に対して光を照射し、その反射光や透過光によって得られる検知データを、予め記憶されている正規の紙幣についてのデータとの間で比較を行ない、紙幣の有効性について判断を行なうように構成されている。この場合、紙幣の識別を行なうに際しては、搬送される紙幣について、長手方向の全領域を検知することが識別精度を向上する上では好ましい。
【０００８】
ところが、上記した特許文献２に開示されている紙幣処理装置では、搬送される紙幣に対し、長手方向の全領域を検知するように構成すると、装置全体として奥側のスペースが無駄になるという問題が生じる。すなわち、紙幣を奥側に向けて搬送する際に紙幣の識別処理を行ない、長手方向の全領域を読み終わった状態で紙幣を側方にシフトさせることから、紙幣の識別センサよりも下流側には、少なくとも紙幣の長さ以上のスペースが必要となってしまう。通常、上記したような遊技機間に設置される遊技媒体貸出装置は、その大きさを可能な限り小型化することが要請されており、それに組み込まれる紙幣処理装置についても、限られたスペース内にコンパクトに収納できることが要請されている。
【０００９】
また、紙幣処理装置全体をコンパクト化しようとした場合、識別が終了して適性と判断された紙幣の収容処理と、引き続き挿入されてくる紙幣の識別処理との間で、干渉や衝突が生じる可能性が高まってしまうことから、安定した状態で両紙幣の間で振分け処理が成されるよう構成されていることが望ましい。特に、紙幣処理装置全体のコンパクト化を図るべく、紙幣搬送機構と紙幣収容部を並設した構成では、積層される紙幣の状態、例えば、湿度や紙幣の使用状態等の影響で紙幣がしなったり撓んでいたりすると、順次、積層収容される紙幣が、次の紙幣を搬送すべく駆動状態にある搬送機構（搬送ローラや搬送ベルトなど）と接触することがあり、紙幣処理装置内で紙幣ジャムが発生することがある。
【００１０】
本発明は、上記した事情に着目してなされたものであり、限られた設置スペースを有効利用してコンパクト化が図れ、順次挿入される紙幣を安定した状態で処理することを可能にする紙幣処理装置を提供することを目的とする。
【課題を解決するための手段】
【００１１】
上記した課題を解決するために、請求項１に記載された紙幣処理装置は、紙幣が挿入される紙幣挿入口と、前記紙幣挿入口から挿入された紙幣を、挿入方向に沿って搬送可能であると共に、挿入状態にある紙幣を、紙幣挿入口に向けて差し戻すように搬送可能な紙幣搬送機構と、前記紙幣挿入口に挿入された紙幣の有効性を識別する紙幣識別センサと、前記紙幣搬送機構に対して並設され、紙幣挿入方向に対して直交する方向に紙幣を積層、収容する紙幣収容部と、前記紙幣識別部で有効と判断された紙幣を前記紙幣収容部に積層収容させ、かつ次に挿入される紙幣との間で仕分けを行なう仕分け機構と、前記紙幣が前記紙幣搬送機構によって紙幣収容部の収容位置に搬入されるまでの間、前記紙幣収容部に収容されている紙幣を前記紙幣搬送機構に対して非接触状態にする非接触機構と、を有することを特徴とする。
【００１２】
上記した構成の紙幣処理装置によれば、紙幣挿入口に挿入された紙幣は、紙幣搬送機構によってそのまま搬送され、この搬送中に、紙幣識別センサによって、その有効性が判断される。そして、有効であると判断された紙幣は、紙幣搬送機構に並設された紙幣収容部に、紙幣挿入方向に対して直交する方向に順次、積層収容される。この収容動作に際しては、紙幣搬送機構によって次に挿入されてくる紙幣が干渉等しないように仕分け機構によって仕分けが成されていることから、積層収容される紙幣と挿入されてくる紙幣との間でジャムが生じたり、詰まりが生じることはない。また、紙幣収容部は、移送される紙幣を紙幣挿入方向に対して直交する方向に積層収容する構成であることから、幅方向に限られたスペース内で効率良く、紙幣を収容することが可能になる。さらに、紙幣収容部に積層収容されている紙幣は、前記非接触機構によって紙幣搬送機構に対して非接触状態に維持されていることから、積層収容されている紙幣が、紙幣搬送機構に接触して不必要に移動等されることはなく、紙幣のジャム等が確実に防止される。なお、非接触状態とされる紙幣搬送機構は、積層収容されている紙幣と対向する部分において、紙幣にジャムを生じさせる可能性がある部分であり、例えば、搬送ベルトや駆動ローラのような回転駆動される部分（搬送部）が該当する。
【００１３】
また、請求項２に係る発明においては、前記非接触機構は、前記紙幣の搬送動作に連動して紙幣の搬送経路に対して出没するように駆動されると共に、突出時に前記紙幣に当接する当接部材を有していることを特徴とする。
【００１４】
上記した構成によれば、当接部材が紙幣の搬送経路に出没して、積層収容された紙幣に対して当接可能となっている。このため、紙幣搬送機構が駆動中でありながら、実際に紙幣が紙幣収容部の領域を移動していないときには、当接部材を突出させておくことで、積層収容された紙幣に当て付いて紙幣搬送機構の搬送部と非接触状態とすることができ、かつ紙幣が紙幣収容部の領域を移動しているときには、当接部材を退避させておくことで、紙幣の移動の妨げにならないようにすることが可能となる。
【００１５】
また、請求項３に係る発明においては、前記紙幣が挿入方向に沿って搬送状態にあり、かつ前記紙幣識別センサが紙幣の有効性を検知しているとき、搬送状態にある紙幣の先端を湾曲案内するガイド手段と、前記挿入された紙幣が有効であった場合、当該紙幣を前記紙幣挿入口側に一定の距離搬送するように前記紙幣搬送機構をスイッチバック制御する制御手段と、を有することを特徴とする。
【００１６】
上記した構成によれば、紙幣識別センサによって紙幣の有効性を判断しているとき、搬送されている紙幣の先端を湾曲案内することから、紙幣の長手方向の全領域を検知するようにしても、紙幣の長手方向における搬送経路の長さを短く設定することが可能になり、これによって紙幣処理装置の奥行きをコンパクト化することが可能となる。また、有効であると判断された紙幣は、一定の距離だけ紙幣挿入口側にスイッチバックされ、この位置において、紙幣搬送機構に並設された紙幣収納部に向けて移送される。この移送に際しては、紙幣搬送機構によって次に挿入されてくる紙幣が干渉等しないように、上記した仕分け機構によって仕分けが成されていることから、積層収容される紙幣と挿入されてくる紙幣との間でジャムが生じたり、詰まりが生じることはない。さらに、上記した請求項２に係る当接部材は、このような動作が成されている間、紙幣の搬送経路から退避させておくことが可能であるため、紙幣の搬送に支障をきたすようなことはない。
【００１７】
また、請求項４に係る発明においては、前記ガイド手段は、前記紙幣先端を湾曲案内すると共に、積層収容されている紙幣と湾曲案内された紙幣との間を仕分けるように回転駆動されるガイド部材を有しており、前記当接部材は、前記ガイド部材の回転駆動に伴って出没駆動されるように前記ガイド手段に連結されていることを特徴とする。
【００１８】
このような構成によれば、当接部材の駆動を、上記したガイド部材の回転駆動と関連させることが可能となるため、駆動源を共有化することが可能となり、装置全体の構成を簡略化することが可能になると共に、より省スペース化が図れるようになる。
【発明の効果】
【００１９】
本発明の構成によれば、限られた設置スペースを有効利用してコンパクト化が図れ、順次挿入される紙幣を、ジャム等を生じさせること無く、安定した状態で処理することが可能な紙幣処理装置が得られる。
【発明を実施するための最良の形態】
【００２０】
以下、図面を参照しながら、本発明の一実施形態について説明する。
【００２１】
図１から図４は、本実施形態に係る紙幣処理装置の構成を示す図であり、図１は、全体構成を示す斜視図、図２は、内部構成を示す図、図３は、搬送状態にある紙幣の先端を湾曲案内するガイド手段、及び非接触機構の概略構成を示す斜視図、そして、図４は、図１及び図２を矢印Ｃ方向から見た図であり、（ａ）は、非接触機構が紙幣に接触している状態を示す側面図、（ｂ）は、非接触機構が退避している状態を示す側面図である。
【００２２】
紙幣処理装置１は、例えば、パチンコ機等（図示せず）の遊技機間に設置される遊技媒体貸出装置に設置可能に構成されている。この場合、遊技媒体貸出装置には、紙幣処理装置１の上側又は下側に他の装置（例えば、硬貨識別装置、記録媒体処理装置、電源装置など）が設置されているが、紙幣処理装置１は、これらの他の装置と一体化されていたり、別個に構成されていても良い。或いは、遊技機間以外の他の空間に紙幣処理装置１が単独もしくは前記他の装置と共に設置されていても良い。そして、このような紙幣処理装置１に紙幣が挿入され、挿入された紙幣の有効性が判断されると、その紙幣価値に応じた遊技媒体の貸出処理、記録媒体への書き込み処理等が行なわれる。
【００２３】
紙幣処理装置１は、直方体状に形成されたケーシング１ａを備えており、このケーシング１ａが図示されていない遊技媒体貸出装置の係止部に装着される。ケーシング１ａの前面１ｂには、スリット状の紙幣挿入口３が形成されており、紙幣Ｐは、紙幣の短い辺を縦方向にした状態（起立状態）で矢印Ａ方向に沿って内部に挿入される。
【００２４】
ケーシング１ａ内には、挿入される紙幣の有効性を識別する紙幣識別部５と、挿入される紙幣を搬送する紙幣搬送機構７と、有効と判断された紙幣を積層収容する紙幣収容部１０が設けられている。この場合、紙幣識別部５は、紙幣挿入口３の挿入方向の近傍位置に設置されており、紙幣搬送機構７は、紙幣識別部５から挿入方向Ａに沿った領域に亘って設置されている。また、紙幣収容部１０は、紙幣搬送機構７に並設するように配置されており、紙幣の挿入方向Ａに対して直交する方向である矢印Ｂ方向に、紙幣を起立状態にしたままで積層収容できるように構成されている（図２において、紙幣は、紙面と垂直方向の奥側に向けて順次、積層収容される）。
【００２５】
前記紙幣識別部５には、前記紙幣挿入口３に挿入された紙幣を垂直状態のまま搬送して内部に引き込む第１の搬送機構１５が設置されている（第１の搬送機構１５は、前記紙幣搬送機構７の一部を構成する）。この場合、第１の搬送機構１５は、紙幣挿入方向Ａに沿って延出し、所定間隔おいて設置される一対の搬送ベルト１５ａ，１５ｂを備えている。各搬送ベルト１５ａ，１５ｂは、その一端が紙幣挿入口３側において内部フレーム１ｄに回転可能に支持される支軸１６に取り付けられたテンションローラ１６ａ，１６ｂに巻回されており、他端が、紙幣識別部５の奥側において内部フレーム１ｄに回転可能に支持される支軸１７に取り付けられたテンションローラ１７ａ，１７ｂに巻回されている。
【００２６】
前記支軸１７は、内部フレーム１ｄに配設された搬送モータ２０によって回転駆動されるようになっている。すなわち、支軸１７は、搬送モータ２０の駆動軸に固定されるギヤ２０Ｇ、及びこれに噛合し、支軸１７の端部に固定されるギヤ１７Ｇを介して回転駆動されるようになっている。前記搬送モータ２０は、正転／逆転するように駆動制御され、紙幣搬送機構７の駆動源としての機能を有する。
【００２７】
なお、図示されていないが、搬送ベルト１５ａ，１５ｂには、夫々長手方向に沿って、ピンチローラが当接しており、紙幣挿入口に挿入された紙幣Ｐは、搬送ベルト１５ａ，１５ｂとこれに当接するピンチローラに挟持された状態で搬送されて行く。
【００２８】
前記紙幣搬送機構７は、前記第１の搬送機構１５に連続して設置される第２の搬送機構２５を備えている。この第２の搬送機構２５は、第１の搬送機構１５を構成する搬送ベルと１５ａ，１５ｂよりも幅広で、紙幣挿入方向Ａに沿って延出する一対の搬送ベルト２５ａ，２５ｂを備えている。各搬送ベルト２５ａ，２５ｂは、その一端が、前記支軸１７のテンションローラ１７ａ，１７ｂの外側に取り付けられたテンションローラ１７ｃ，１７ｄに巻回されており、他端が、内部フレーム１ｄに回転可能に支持される支軸２６に取り付けられたテンションローラ２６ａ，２６ｂに巻回されている。この場合、支軸１７と支軸２６との間の長さは、紙幣の長さよりも短くなるように設定されている。
【００２９】
なお、支軸１７と支軸２６との間には、各搬送ベルト２５ａ，２５ｂに張力を与えるように、軸方向に沿って２本の支軸２７，２８が前記内部フレーム１ｄに回転可能に支持されており、搬送ベルト２５ａ，２５ｂは、各支軸に取り付けられたテンションローラ２７ａ，２８ａ、及びテンションローラ２７ｂ，２８ｂに巻回されている。また、前記支軸２７は、支軸１７に対してオフセットした状態で支持されている（図４参照）。これは、後述するように、搬送される紙幣の先端を湾曲するように案内することから、その分の変位量を確保するためである。
【００３０】
上記した第２の搬送機構２５を構成する一対の搬送ベルト２５ａ，２５ｂは、支軸１７を回転駆動する搬送モータ２０によって、第１の搬送機構１５と同様に、正転／逆転するように駆動制御される。
【００３１】
前記紙幣識別部５は、前記支軸１６よりも紙幣挿入口３側に設置される紙幣挿入センサ３０を備えている。この紙幣挿入センサ３０は、例えば、光学式のセンサによって構成されており、紙幣挿入口３に紙幣が挿入されたことを検知する。そして、紙幣挿入センサ３０によって紙幣の挿入が検知されると、後述する制御手段は、搬送モータ２０を紙幣送り方向に回転駆動（正転駆動）する。
【００３２】
また、前記紙幣識別部５は、前記支軸１６と支軸１７との間に設置される紙幣識別センサ３１を備えている。紙幣識別センサ３１は、上記した紙幣搬送機構７によって紙幣が搬送される際、搬送される紙幣に対して光を照射するよう光学式のセンサによって構成されている。紙幣識別センサ３１は、紙幣挿入方向Ａと直交する方向に沿って複数箇所設置されており、紙幣からの反射光や透過光によって得られる検知データを、後述する制御手段のＣＰＵにおいて、予めＲＯＭに記憶されている正規の紙幣についてのデータとの間で比較を行ない、紙幣の有効性について判断を行なう。そして、本実施形態では、紙幣の識別を行なうに際しては、搬送される紙幣について、長手方向の全領域を検知するよう構成されている。
【００３３】
また、本実施形態においては、上記した紙幣搬送機構７を構成する支軸２６の下流側に、更に、搬送されてくる紙幣の先端部を湾曲して案内するガイド手段３５が設けられている。このガイド手段３５は、搬送される紙幣の後端が、前記紙幣識別センサ３１を通過した状態で、その紙幣の先端が湾曲して案内される位置に設置されている。
【００３４】
ガイド手段３５は、図２及び図３に示すように、前記支軸２６に対して平行して配置される回転駆動軸３６を備えている。この回転駆動軸３６には、両端部に円板状のプレート３７ａ，３７ｂが一体回転するように固定されると共に、プレート３７ａ，３７ｂ間には、所定間隔をおいて３つのローラ３８ａ，３８ｂ，３８ｃが回転可能に支持されている。また、前記プレート３７ａ，３７ｂには、軸方向に沿って、ローラ３８ａ，３８ｂ，３８ｃの外周面と一定の間隔（紙幣がローラ３８ａ，３８ｂ，３８ｃの外周面に沿って移動案内される程度の間隔）をあけて円弧状のガイド板３９が一体形成されている。なお、このガイド板３９の円弧の角度は、紙幣の仕分けが確実に行なわれるように、１８０°よりも大きく形成しておくことが好ましく、円弧状のガイド板３９によって形成される開口３９ｂから、前記したローラ３８ａ，３８ｂ，３８ｃの外周が露出した状態となっている。
【００３５】
この円弧状のガイド板３９は、その内面とローラ３８ａ，３８ｂ，３８ｃの外周との間で紙幣先端を湾曲状にガイドする機能に加え、その円弧状の外周面３９ａによって、紙幣収容部１０に積層、収容される紙幣と、搬送されてくる紙幣との間で仕分け（積層収容される紙幣と、搬送されてくる紙幣が干渉しないようにする）を行なう仕分け機能を備えている。
【００３６】
前記回転駆動軸３６は、内部フレーム１ｄに配設された仕分けモータ４２によって回転駆動されるようになっている。すなわち、回転駆動軸３６は、仕分けモータ４２の駆動軸に固定されるギヤ４２Ｇ、及びこれに噛合し、回転駆動軸３６の端部に固定されるギヤ３６Ｇを介して回転駆動されるようになっている。前記仕分けモータ４２は、前記搬送モータ２０の駆動に関連して、間欠的に回転駆動制御される。
【００３７】
前記紙幣収容部１０は、紙幣搬送機構７に存在している紙幣を、そのままの状態で積層収容できるように、紙幣搬送機構７に対して並設されている（図２において、紙面の奥側に設置されている）。具体的には、図４に示されるように、紙幣収容部１０は、所定枚数の紙幣を積層収容できるように構成されており、上記した搬送ベルト２５ａ，２５ｂに対して平行に配置される載置プレート１０ｂと、載置プレート１０ｂを紙幣搬送機構７側に向けて付勢する付勢バネ１０ｃを備えている（紙幣は、図４（ｂ）に示すように、載置プレート１０ｂ上に、付勢バネ１０ｃの付勢力に抗して順次、積層収容される）。また、紙幣収容部１０の紙幣挿入口側には、積層収容された紙幣が容易に取り出せるように、開閉可能なシャッタ機構８０（図５参照）が配置されており、後述する押し出し機構によって、積層されていた紙幣は、そのまま排出されるよう構成されている。
【００３８】
前記紙幣収容部１０と紙幣搬送機構７との間には、有効と判別された紙幣を、紙幣収容部１０に積層収容させると共に、次に挿入されてくる紙幣の搬送経路を開放するよう仕分けを行なう仕分け機構５０が設けられている。すなわち、この仕分け機構５０は、有効と判断された紙幣を、順次、前記載置プレート１０ｂに向けて当接させると共に、引き続いて挿入されてくる紙幣が、積層収容されている紙幣との間で干渉しないように仕分けする機能を備えている。
【００３９】
本実施形態の仕分け機構５０は、上記した回転駆動される円弧状のガイド板３９の外周面３９ａ、及び、前記支軸１７と紙幣収容部１０との間に配設される切換弁５２を備えて構成されている。この場合、ガイド板３９の外周面３９ａは、紙幣の長手方向の一端側に係合し、切換弁５２は、紙幣の長手方向の他端側に係合可能となっている。
【００４０】
前記ガイド板３９は、仕分けモータ４２が回転駆動することで回転駆動され、図４（ａ）に示す初期状態では、その外周面３９ａが、積層、収容された紙幣の端部の下面に当て付いて、そのまま紙幣を紙幣収容部１０側（付勢バネ１０ｃの付勢力に抗して載置プレート１０ｂ側）に押圧する機能を有する。また、ガイド板３９の外周面３９ａは、図４（ａ）に示す状態から時計回り方向に略１８０°回転駆動されると、図４（ｂ）に示すように、紙幣収容部１０に積層収容されている紙幣の端部に当て付いた状態のままで、次に搬送されてくる紙幣を湾曲ガイドすべく、開口３９ｂの縁部を紙幣挿入口側に向け、紙幣が挿入可能な状態に位置付ける。この結果、次に搬送されてくる紙幣は、外周面３９ａによって積層収容された紙幣との間で仕分け状態が維持されることから、ガイド板３９の内面に沿って湾曲するようにガイドされる。
【００４１】
一方、上記した切換弁５２は、図２及び図４に示すように、挿入される紙幣に対し、幅方向で均等な位置（中央部、及び両端部の３箇所）に当接可能となるように設置されており、板状の部材で、挿入される紙幣の挿入経路を塞ぐ方向に付勢された状態で支持されている（図４において、時計回り方向に付勢されている）。また、その付勢力は、後述する図１０（ａ）〜（ｃ）に示すように、紙幣が挿入された際、その紙幣の搬送力によって切換弁５２が勢力に抗して反時計回り方向に容易に回動できる程度に設定されている。すなわち、これらの切換弁５２の紙幣収容部１０側の表面には、紙幣収容部１０に積層、収容される紙幣の端部が当て付くようになっており、これにより、挿入されてくる紙幣との間で仕分けを行なう仕分け機能を備えている。
【００４２】
また、上記した内部フレーム１ｄには、紙幣が紙幣搬送機構２５によって紙幣収容部１０の収容位置に搬入されるまでの間、紙幣収容部１０に収容されている紙幣を、紙幣搬送機構２５の搬送ベルト２５ａ，２５ｂ（搬送部）に対して非接触状態にする非接触機構７０が設けられている。すなわち、紙幣搬送機構２５の搬送ベルト２５ａ，２５ｂが回転駆動されていても、非接触機構７０によって、紙幣収容部１０に積層収容されている最新の紙幣（搬送ベルト２５ａ，２５ｂに対向している紙幣）は、回転駆動される搬送ベルト２５ａ，２５ｂに接触しないように構成されている。
【００４３】
本実施形態の非接触機構７０は、紙幣収容部１０に積層収容されている最新の紙幣の略中央部分に対して当接すると共に、図４（ａ），（ｂ）に示すように、紙幣の搬送経路Ｒに対して出没するように構成された当接部材７１を備えて構成されている。この当接部材７１は、図３に示すように、Ｌ字状に屈曲された当接部７１ａ及び基部７１ｂを備えており、当接部７１ａは、内部フレーム１ｄに形成された小孔１ｅを介して、積層収容された紙幣側に突出されている。また、当接部７１ａと内部フレーム１ｄとの間には、付勢バネ７２（図２では省略してある）が介在されており、当接部７１ａを常時、突出する方向（紙幣に当て突く方向）に付勢している。すなわち、当接部７１ａは、上記した付勢バネ７２の付勢力（図３の矢印Ｄ１方向の付勢力）によって、積層収容された紙幣の略中央部分を押圧するように付勢された状態にある。
【００４４】
当接部材７１は、上記したように、紙幣の搬送経路Ｒに対して、その当接部７１ａが出没するように駆動される。具体的には、新たに挿入される紙幣が当接部７１ａを通過するとき（通過しているとき）は、その搬送を妨げないように当接部７１ａは搬送経路Ｒから退避し、それ以外の搬送ベルト２５ａ，２５ｂの回転駆動時には、搬送経路Ｒから突出して、積層収容された紙幣に当接し、当該紙幣を搬送ベルト２５ａ，２５ｂから離間させた状態に維持する。
【００４５】
本実施形態においては、当接部材７１の駆動は、上述したガイド手段３５の回転駆動軸３６を回転駆動する仕分けモータ４２を利用して行なうように構成されている。図３に示すように、当接部材７１は、前記基部７１ｂの中心部分が支点Ｐａによって揺動可能に支持されており、その先端部は、紙幣の搬送方向に沿って延出する連結片７５の一端部７５ａの下面に当て付けられている。そして、この連結片７５は、その中央部分が支点Ｐｂによって揺動可能に支持されると共に、他端部７５ｂが回転駆動軸３６に一体的に取り付けられた偏芯カム７７に係合されている。
【００４６】
図３の偏芯カム７７は、初期位置を示しており、この状態で回転駆動軸３６が時計回り方向Ｄ３に略１８０°回転駆動されると、連結片７５の他端部７５ｂは持ち上げられ、これに伴って、連結片７５の一端部７５ａは、支点Ｐｂを中心にして矢印Ｄ４方向に回動される。この一端部７５ａが矢印Ｄ４方向に回動されることによって、当接部材７１の基部７１ｂは、支点Ｐａを中心に矢印Ｄ５方向に回動され、その結果、当接部７１ａは、付勢バネ７２の付勢力に抗して矢印Ｄ６方向（紙幣から離れる方向）に持ち上げられる。すなわち、図３に示す状態から偏芯カム７７が、略１８０°回転駆動されることで、当接部７１ａは付勢バネ７２の付勢力に抗してＤ６方向に駆動され、搬送経路Ｒから退避する。
【００４７】
そして、再び、回転駆動軸３６が、時計回り方向Ｄ３に略１８０°回転駆動されると、図３に示す初期位置に戻され、当接部７１ａは、付勢バネ７２の付勢力によって、紙幣収容部１０に積層収容された最新の紙幣の略中央部分を押圧するようになる（紙幣と搬送ベルト２５ａ，２５ｂを離間状態に維持する）。
【００４８】
なお、図３に示す配置構成例では、偏芯カム７７の初期位置と、ガイド手段３５のガイド板３９の初期位置とは一致させておらず、図４（ａ）に示すように、偏芯カム７７の初期位置では、ガイド板３９は、その開口３９ｂが後方側に向いた状態となっている。
【００４９】
上記した紙幣収容部１０に積層収容された紙幣は、紙幣挿入口３と並行に配設されるシャッタ機構８０を開放駆動することで、積層された状態のままで取り出し可能となっている（図５参照）。シャッタ機構８０は、紙幣取出し開口部分を傾斜した状態で閉塞する遮蔽板８１と、この遮蔽板８１に連結される回動アーム板８２とを備えて構成されている。この場合、遮蔽板８１は、一端部が装置本体のフレームに回動可能に支持されると共に、他端部が回動アーム板８２の一端部に回動可能に支持されている。また、回動アーム板８２の他端部は、紙幣の搬入方向に対して直交する方向の両サイドにおいて、紙幣搬送方向に沿って移動可能に設けられた一対のラック部材８５（片方のみ図示）に回動可能に支持されている。
【００５０】
前記回動アーム板８２は、遮蔽板８１の閉塞状態において、図５（ａ）に示すように、紙幣の積層方向に沿った状態にあり、前記一対のラック部材８５が、図５（ａ）に示す状態から、図５（ｂ）に示す状態にスライド駆動されることで、積層収容されている紙幣とフレーム壁との間に入り込むようになり、更にラック部材８５がスライド駆動されることで、図５（ｂ）に示すように、回動アーム板８２は、ラック部材８５と略面一状態に回動される。そして、この回動アーム板８２の動作に伴って、前記遮蔽板８１は、基端部を中心として、フレーム壁に面接するように回動されるようになり、最終的に紙幣の排出経路が開放され、紙幣の取り出しが可能な状態となる。
【００５１】
なお、上記したラック部材８５は、図２に示すように、両サイドに設置されたギヤトレイン８８を介してピニオン８７と係合されている。そして、各ギヤトレイン８８は、シャッタモータ９０によって回転駆動される回転駆動軸８９によって連結されている。すなわち、シャッタモータ９０のモータギヤ９０Ｇと回転駆動軸８９に固定されたギヤ８９Ｇが連結されることで、回転駆動軸８９は回転駆動され、その両端に配設されたギヤトレイン８８及びピニオン８７を介して、上記した一対のラック部材８５は同期駆動される（遮蔽板８１は、図５（ａ）及び（ｂ）に示すように開閉駆動される）。
【００５２】
そして、上記したように遮蔽板８１が開放された後、紙幣収容部１０の載置プレート１０ｂに積層収容された紙幣には、押し出し機構１００が係合するようになりし、積層状態にある紙幣は、強制的に開放された遮蔽板８１側に押し出される。
【００５３】
このような押し出し機構は、例えば、図２、図６及び図７に示すように構成することが可能である。すなわち、紙幣収容部１０の載置プレート１０ｂに、紙幣の長手方向に沿って延出する長溝１０ｅを形成しておき、ここに長溝に沿って移動可能な押し出しアーム１０５を配設しておく。この押し出しアーム１０５の一端側には、紙幣の積層方向に沿うように屈曲して、積層された紙幣の端縁に当接する当接片１０５ａが形成されており、その他端側には、装置本体のフレームに、回転駆動可能となるように張設された駆動ベルト１１０を挟持する挟持部１０５ｂが形成されている。
【００５４】
前記駆動ベルト１１０は、両端部において、テンションローラ１１１，１１２に張設されており、装置本体のフレームに設けられた押し出しモータ１２０、及びその駆動軸に連結されるギヤトレイン１２２を介して一方のテンションローラ１１１側を回転駆動することで、上記した押し出しアーム１０５を紙幣排出方向に駆動することが可能となる。このように押し出しアーム１０５をスライド駆動することで、図７（ａ）及び（ｂ）に示すように、載置プレート１０ｂに積層収容された紙幣は、そのままスライド駆動され、開放状態にある遮蔽板８１を介して排出することが可能となる。
【００５５】
この結果、前記シャッタ機構８０を、シャッタモータ９０を駆動することで開放し、かつ、これに同期して、押し出しモータ１２０を駆動することで、図８に示すように、積層収容された紙幣は、そのままの状態で取り出すことが可能となる。
【００５６】
図９は、上記した紙幣処理装置１の動作を制御する制御手段の構成例を示すブロック図である。
【００５７】
制御手段は、上記した各アクチュエータの動作を制御する制御回路基板１５０を備えており、上述した搬送モータ２０，仕分けモータ４２、押し出しモータ１２０、シャッタモータ９０等、各種の駆動装置の制御動作機能を有するＣＰＵ１３０、上記した各種の駆動装置の作動プログラムや正規の紙幣に関する検知データ等を格納したＲＯＭ１３１、及び制御ＲＡＭ１３２を備えて構成されている。
【００５８】
前記ＣＰＵ１３０には、Ｉ／Ｏポート１３５を介して、上記した各種の駆動装置を駆動するための搬送モータ駆動回路１４０、仕分けモータ駆動回路１４１、押し出しモータ駆動回路１４２、シャッタモータ駆動回路１４３が接続されており、各駆動装置は、作動プログラムに従って、ＣＰＵ１３０からの制御信号により動作が制御される。また、ＣＰＵ１３０には、Ｉ／Ｏポート１３５を介して、紙幣挿入センサ３０からの検知信号、及び紙幣識別センサ３１からの検知信号が入力されるようになっており、これらの検知信号に基づいて、搬送モータ駆動回路１４０を介して搬送モータ２０は正転／逆転駆動制御され、仕分けモータ駆動回路１４１を介して仕分けモータ４２は回転駆動制御される。
【００５９】
また、ＣＰＵ１３０は、図示しない遊技機本体内に配設された遊技処理を実行する制御回路２００に接続されており、遊技機側に対して、挿入された紙幣の価値に応じた遊技価値情報が送信されるようになっている。
【００６０】
次に、上述した構成の紙幣処理装置において、図１〜図４及び図１０を参照しながら、紙幣Ｐを挿入した際の動作について説明する。なお、図１０（ａ）〜（ｆ）は、紙幣Ｐを挿入した際の、上述した紙幣搬送機構７、ガイド手段３５、仕分け機構５０、及び非接触機構７０における当接部材７１の当接部７１ａの動作を連続的に示した模式図である。
【００６１】
まず、図１に示されるように紙幣Ｐを垂直に立てた起立状態で紙幣挿入口３に挿入すると、その挿入は、紙幣挿入センサ３０によって検知される。紙幣挿入センサ３０が紙幣の挿入を検知すると、搬送モータ２０が正転駆動され、紙幣搬送機構７の第１の搬送機構１５、及び第２の搬送機構２５は、図１０（ａ）の矢印方向に回転駆動される。これによって紙幣挿入口３を通じて挿入された紙幣Ｐは、内部へと導入される。
【００６２】
このとき、上述したガイド手段３５のガイド板３９、及び偏芯カム７７は、図４（ａ）に示したように、初期位置に位置付けされており、紙幣収容部１０に収容された紙幣は、仕分け機構（ガイド板３９の外周面３９ａ、切換弁５２）によって、新たに挿入されてくる紙幣との間で仕分けられると共に、非接触機構７０の当接部材の当接部７１ａによって載置プレート側に押さえ付けられた状態にある。この結果、紙幣収容部１０に収容されている紙幣は、当接部７１ａによって、搬送ベルト２５ａ，２５ｂから離間した状態が維持され（非接触状態が維持され）ており、紙幣に撓み等があっても、駆動状態にある搬送ベルト２５ａ，２５ｂに接触することはなく、ジャム等が生じることは無い。
【００６３】
紙幣Ｐが内部に搬送される際、紙幣識別センサ３１が搬送状態にある紙幣を検知し、上記した制御手段において、その有効性が判断される。この場合、搬送される紙幣が上記した当接部７１ａを通過する前に、当接部７１ａは搬送路から退避するように駆動される。具体的には、図１０（ｂ）に示すように、回転駆動軸３６が略１８０°時計回り方向に回転駆動されることにより、上記した当接部７１ａは、偏芯カム７７及び連結片７５を介して、付勢バネ７２の付勢力に抗して紙幣から離間するように駆動され、新たに搬入されてくる紙幣の妨げにならないように退避される。
【００６４】
なお、上記した非接触機構７０（当接部７１ａ）を駆動するタイミングは、例えば、紙幣挿入センサ３０、或いは紙幣識別センサ３１が紙幣を検知してから所定時間をカウントして、上記した仕分けモータ４２を駆動すれば良い。また、本実施形態では、紙幣識別センサ３１は、搬送される紙幣Ｐの長手方向全体を検知するようになっている（図１０（ｂ））。
【００６５】
そして、上記したように紙幣Ｐが紙幣識別センサ３１を通過して搬送されると、その搬送力によって、上記した切換弁５２は、付勢力に抗して図１０（ｂ）に示すように反時計回り方向に回動される。また、図１０（ｂ）に示すように、回転駆動軸３６が略１８０°時計回り方向に回転駆動されると、ガイド板３９の開口３９ｂは紙幣挿入口側に回動され、紙幣を受け入れ可能な状態となる。このとき、紙幣収容部１０に紙幣が積層収容されていても、その最上にある紙幣は、回動するガイド板３９の外周面３９ａによって、仕分け状態が維持される。
【００６６】
紙幣Ｐの後端が紙幣識別センサ３１を通過して、紙幣の長手方向全てを検知したとき、紙幣Ｐの先端は、上記したガイド手段３５の円弧状のガイド板３９と、ローラ３８ａ，３８ｂ，３８ｃの外周面との間で湾曲してガイドされた状態にある。また、このとき、紙幣Ｐの後端は、切換弁５２を通過していない位置にある（図１０（ｃ））。
【００６７】
そして、上記した制御手段において、挿入された紙幣Ｐの有効性が判断されなかった場合、搬送モータ２０は逆転駆動される。この逆転駆動により、図１０（ｃ）に示す状態にある紙幣Ｐは、差し戻し作用を受け、紙幣挿入口３から排出される。また、紙幣Ｐの有効性が判断された場合、紙幣Ｐの後端が切換弁５２を通過するまで、搬送モータ２０は回転駆動される（図１０（ｄ））。これにより、切換弁５２は、図１０（ａ）の初期位置に戻ると共に、紙幣の先端は、ガイド手段３５に湾曲して案内された状態となる。
【００６８】
搬送モータ２０は、紙幣Ｐの後端が切換弁５２を通過するまで正転駆動され、その後、当該紙幣を所定の距離だけスイッチバックすべく逆転駆動（スイッチバック制御）される。このとき紙幣Ｐの後端部分は、切換弁５２によって仕分けされ、再び第１の搬送機構１５側に搬送されることはなく、引き続き挿入されてくる紙幣との間で干渉が生じることが阻止される。また、紙幣Ｐの先端部分は、円弧状のガイド板３９の導入口部分に位置しており、湾曲案内される前の状態に位置付けされている（図１０（ｅ））。なお、ここでのスイッチバック制御とは、紙幣識別センサ３１で紙幣の有効性が判断された際、当該紙幣の後端が切換弁５２を通過し、かつ紙幣の先端部分がガイド板３９によって湾曲案内された後、その紙幣を紙幣挿入口側に向けて一定の距離だけ搬送する（差し戻す）ように搬送モータ２０の駆動を制御することを意味する。
【００６９】
そして、この状態で、上記した仕分けモータ４２が回転駆動され、ガイド板３９を時計回り方向に略１８０°回転駆動させて、図１０（ａ）に示す初期位置に戻す。この回転によって、紙幣Ｐの先端部分は、ガイド板３９に乗り上がり（図１０（ｆ））、最終的に、図１０（ａ）の初期位置に戻った際に、紙幣Ｐの先端部分は、ガイド板３９の外周面３９ａによって、図４（ｂ）に示すように、載置プレート１０ｂに当て付けられた状態に維持される。すなわち、スイッチバックされた紙幣は、回転駆動されるガイド板３９によって、紙幣収容部１０に向けてそのまま紙幣の挿入方向と直交する方向に移送されると共に、載置プレート１０ｂに対して当て付けられる。また、このとき、当接部７１ａは、紙幣を押圧した状態にあり、最上の紙幣を、搬送ベルト２５ａ，２５ｂから離間させた状態を維持している。
【００７０】
そして、紙幣が紙幣挿入口３から順次挿入されると、上述した動作が繰り返され、最終的に、載置プレート１０ｂには、図４に示すように、多数の紙幣が積層収容された状態となる。この状態で、積層収容された紙幣は、先端部分がガイド板３９によって載置プレート１０ｂ側に押し付けられた状態にあり、後端部分が切換弁５２によって載置プレート１０ｂ側に押し付けられた状態となっている（ガイド板３９と切換弁５２によって、新たに搬入されてくる紙幣との間で仕分けが成されている）。
【００７１】
上記したように紙幣収容部１０に積層収容された紙幣は、上記した押し出し機構１００によって、積層収容された状態のまま排出される。すなわち、図７に示したように、積層収容された紙幣の端縁に当接する押し出しアーム１０５が押し出しモータ１２０によってスライド駆動されることにより、積層状態にある紙幣は、そのままの状態で排出方向に移動され、図８に示すように排出される。このように、押し出し機構１００を設けることにより、紙幣収容部１０に収容された紙幣を容易に取り出すことが可能になる。
【００７２】
上記した実施形態の紙幣処理装置１によれば、紙幣挿入口３に挿入された紙幣は、紙幣搬送機構７によってそのまま搬送され、この搬送中に、紙幣識別センサ３１によって、その有効性が判断される。そして、紙幣識別センサ３１によって紙幣の有効性を判断しているとき、搬送されている紙幣の先端をガイド手段３５によって湾曲案内することから、紙幣の長手方向の全領域を検知するようにしても、紙幣の長手方向における搬送経路の長さを短く設定することが可能になり、これによって、紙幣の識別精度を高めながら紙幣処理装置１の奥行きを可及的にコンパクト化することが可能となる。
【００７３】
また、有効であると判断された紙幣については、一定の距離だけ紙幣挿入口３側にスイッチバックを実行し、この位置において、仕分け機構５０によって、紙幣搬送機構７に並設された紙幣収納部１０に向けて移送する。すなわち、紙幣収容部１０は、移送される紙幣を紙幣挿入方向に対して直交する方向に積層収容する構成であることから、幅方向に限られたスペース内で効率良く、紙幣を収容することが可能になる。
【００７４】
さらに、仕分け機構５０は、紙幣搬送機構７によって次に挿入されてくる紙幣が干渉等しないように搬送経路を開放することから、積層収容される紙幣と挿入されてくる紙幣との間でジャムが生じたり、詰まりが生じることはなく、安定した状態で紙幣を搬送することが可能になる。そして、このような構成において、上記した非接触機構７０によって、紙幣収容部１０に積層収容された最新の紙幣は、紙幣搬送機構の搬送部（本実施形態では、搬送ベルト２５ａ，２５ｂ）から離間した状態が維持されるため、搬送部の駆動中に、前記最新の紙幣に撓み等があっても搬送部との接触が防止され、搬送方向に移送されてジャム等の発生が防止される。
【００７５】
また、上記した実施形態では、ガイド手段３５を構成している円弧状のガイド板３９が、紙幣を紙幣収容部１０に向けて移送する機能、及び積層収容される紙幣と挿入される紙幣との間で仕分けを行なう仕分け機能を兼ね備えていることから、全体の構成を簡略化することが可能となる。さらに、円弧状のガイド板３９が、載置プレート１０ｂに対する紙幣の押し込み機能を備えていることから、別途、押し込み板のような部材を配設しておく必要もない。
【００７６】
また、上述したように駆動されるシャッタ機構８０、及び押し出し機構１００によれば、紙幣収容部１０に積層収容された紙幣をそのままの状態で排出することが可能になることから、装置全体の構成が簡略化されると共に紙幣を収容するようなケーシング（金庫）を設置しておく必要がなくなり、紙幣取り出し時の手間が軽減される。
【００７７】
以上、本発明の実施形態について説明したが、本発明は、上記した実施形態以外にも、例えば、以下のように構成して実施することが可能である。
【００７８】
上述した非接触機構７０については、紙幣搬送機構の搬送部が駆動状態にあり、かつその搬送部に対向して積層収容されている紙幣が、新たな紙幣が搬入されてくるまでの間、搬送部に接触しないように維持できるものであれば、その機構の構成や、非接触状態を維持する方法については、適宜変形することが可能である。また、上記した実施形態では、非接触機構７０を駆動する駆動源を、ガイド手段３５を駆動する駆動モータ（仕分けモータ４２）を利用したが、専用の駆動源を配設しておき、非接触機構７０を駆動するようにしても良いし、別の構成部材を駆動する駆動源を利用して駆動するようにしても良い。
【００７９】
また、上記したような紙幣の先端を湾曲して案内するガイド手段３５、シャッタ機構８０、押し出し機構１００の構成、動作方法については、適宜変形することが可能である。なお、本発明の紙幣処理装置においては、紙幣の先端を湾曲案内するガイド手段３５や、紙幣の後端に当接して紙幣をそのまま押し出す押し出し機構１００については、配設しない構成であっても良い。さらに、紙幣を搬送する紙幣搬送機構、紙幣を仕分けする仕分け機構、紙幣搬送機構などの駆動部材を駆動する駆動源の構成、動力伝達機構等の構成についても、適宜変形することが可能である。
【産業上の利用可能性】
【００８０】
本発明の紙幣処理装置は、各種遊技機の間に設置される以外にも、紙幣を取扱う各種の装置、例えば、各種の自動販売機のような外部装置内に設置することが可能である。
【図面の簡単な説明】
【００８１】
【図１】本発明に係る紙幣処理装置の一実施形態の全体構成を示す図。
【図２】紙幣処理装置の内部構成を示す図。
【図３】搬送状態にある紙幣の先端を湾曲案内するガイド手段、及び非接触機構の概略構成を示す斜視図。
【図４】図１及び図２を矢印Ｃ方向から見た図であり、（ａ）は、非接触機構が紙幣に接触している状態を示す側面図、（ｂ）は、非接触機構が退避している状態を示す側面図。
【図５】紙幣を排出するシャッタ機構の動作を説明する図であり、（ａ）は、シャッタが閉塞された状態を示す図、（ｂ）は、シャッタが開放された状態を示す図。
【図６】押し出し機構の構成を示す平面図。
【図７】押し出し機構の構成を示す斜視図であり、（ａ）は、紙幣の排出前の状態を示す図、（ｂ）は、紙幣が排出されている状態を示す図。
【図８】紙幣処理装置から紙幣を排出する際の状態を示す図。
【図９】紙幣処理装置の動作を制御する制御手段の構成例を示すブロック図。
【図１０】（ａ）〜（ｆ）は、紙幣を挿入した際の紙幣搬送機構、ガイド手段、及び非接触機構の動作を連続的に示した模式図。
【符号の説明】
【００８２】
１  紙幣処理装置
３  紙幣挿入口
５  紙幣識別部
７  紙幣搬送機構
１０  紙幣収容部
１５  第１の搬送機構
２５  第２の搬送機構
３０  紙幣挿入センサ
３１  紙幣識別センサ
３５  ガイド手段
３９  ガイド板
５０  仕分け機構
７０  非接触機構
７１  当接部材
７１ａ  当接部
１００  押し出し機構
【図１】
2006227910.tif 000003
【図２】
2006227910.tif 000004
【図３】
2006227910.tif 000005
【図４】
2006227910.tif 000006
【図５】
2006227910.tif 000007
【図６】
2006227910.tif 000008
【図７】
2006227910.tif 000009
【図８】
2006227910.tif 000010
【図９】
2006227910.tif 000011
【図１０】
2006227910.tif 000012